(57)【要約】【課題】本発明は、操作に便利であるイヤホン、当該イヤホンを備えるオーディオ再生システム並びにオーディオ再生システムの自動制御方法を提供することを目的とする。【解決手段】本発明に係るオーディオ再生システムは、イヤホン及びオーディオ再生装置を備え、イヤホンは、第一耳栓、第二耳栓、第一プラグ、第二プラグ、第一センシングユニット及び第二センシングユニットを含み、オーディオ再生装置は、第一ジャック、第二ジャック及び制御ユニットを含み、イヤホンは、第一プラグを介して第一ジャック内に挿入接続され、第一センシングユニットは、第一耳栓に設けられ、第二センシングユニットは、第二耳栓に設けられ、第一センシングユニット及び第二センシングユニットは、何れも第二プラグに接続され、第二プラグは、第二ジャックの中に挿入され、制御ユニットは、イヤホンの使用状態に基づいてオーディオ再生装置の動作状態を制御する。【選択図】図１
2015042008.tif 000002
【特許請求の範囲】
【請求項１】
イヤホン及びオーディオ再生装置を備えるオーディオ再生システムであって、前記イヤホンは、第一耳栓、第二耳栓、第一プラグ、第二プラグ、第一センシングユニット及び第二センシングユニットを含み、前記オーディオ再生装置は、第一ジャック、第二ジャック及び制御ユニットを含み、
前記イヤホンは、前記第一プラグを介して前記第一ジャック内に挿入接続され、前記第一センシングユニットは、前記第一耳栓に設けられ、前記第二センシングユニットは、前記第二耳栓に設けられ、前記第一センシングユニット及び前記第二センシングユニットは、何れも前記第二プラグに接続され、前記第二プラグは、前記第二ジャックの中に挿入され、
前記制御ユニットは、前記第二ジャックを介して前記第一センシングユニット及び前記第二センシングユニットが出力したセンシング信号を検出して、前記イヤホンが使用状態にあるかどうかを判断し、且つ前記イヤホンの使用状態に基づいて前記オーディオ再生装置の動作状態を制御することを特徴とするオーディオ再生システム。
【請求項２】
前記第一センシングユニット及び前記第二センシングユニットは、何れも光センサーであることを特徴とする請求項１に記載のオーディオ再生システム。
【請求項３】
前記第二プラグは、第一センシング端子を備え、前記第二ジャックは、前記第一センシング端子に対応する第一接続端子を備え、
前記制御ユニットは、前記第一接続端子に電気的に接続される第一テスト端子を備え、前記制御ユニットは、前記第一接続端子と前記第一センシング端子との接続状態に基づいて、前記オーディオ再生装置の中に挿入されたイヤホンのタイプを判断することを特徴とする請求項１に記載のオーディオ再生システム。
【請求項４】
前記第二プラグは、第二センシング端子を備え、前記第二ジャックは、前記第二センシング端子に対応する第二接続端子を備え、
前記制御ユニットは、第二テスト端子を備え、前記第二テスト端子は、前記第二接続端子に電気的に接続され、前記制御ユニットは、前記第二テスト端子及び前記第二接続端子を介して、前記第一センシングユニット及び前記第二センシングユニットが出力した信号の変化を検出して、前記イヤホンが使用状態にあるかどうかを判断することを特徴とする請求項１に記載のオーディオ再生システム。
【請求項５】
第一耳栓、第二耳栓、第一プラグ、第二プラグ、第一センシングユニット及び第二センシングユニットを備えるイヤホンであって、
前記イヤホンは、前記第一プラグを介してオーディオ再生装置の第一ジャック内に挿入され、前記第一センシングユニットは、前記第一耳栓に設けられ、前記第二センシングユニットは、前記第二耳栓に設けられ、前記第一センシングユニット及び前記第二センシングユニットは、何れも前記第二プラグに接続され、前記第二プラグは、前記オーディオ再生装置の第二ジャック内に挿入され、これによって、前記オーディオ再生装置は、前記第二ジャックを介して前記第一センシングユニット及び前記第二センシングユニットが出力したセンシング信号の変化を検出し、且つ前記イヤホンが使用状態にあるかどうかを判断することを特徴とするイヤホン。
【請求項６】
前記第一センシングユニット及び前記第二センシングユニットは、何れも光センサーであることを特徴とする請求項５に記載のイヤホン。
【請求項７】
前記第二プラグは、第一センシング端子を備え、前記オーディオ再生装置は、前記第一センシング端子を介して、自身に挿入されたイヤホンのタイプを判断することを特徴とする請求項５に記載のイヤホン。
【請求項８】
前記第二プラグは、第二センシング端子を備え、前記第一センシングユニット及び前記第二センシングユニットは、何れも前記第二センシング端子に電気的に接続され、
前記オーディオ再生装置は、前記第二センシング端子を介して前記第一センシングユニット及び前記第二センシングユニットが出力した信号の変化を検出して、前記イヤホンが使用状態にあるかどうかを判断することを特徴とする請求項５に記載のイヤホン。
【請求項９】
オーディオ再生装置と、前記オーディオ再生装置内に挿入されて使用され、且つ第一センシングユニット及び第二センシングユニットを含むイヤホンと、を備えるオーディオ再生システムを提供する第一ステップと、
前記第一センシングユニット及び前記第二センシングユニットが出力した信号の変化を検出することによって、前記イヤホンが使用状態にあるかどうかを判断する第二ステップと、
前記イヤホンが使用状態にある場合、前記オーディオ再生装置を制御して、オーディオファイルを再生し始める又はオーディオファイルを再生し続けると共に、前記第二ステップに戻る第三ステップと、
前記イヤホンが使用状態にない場合、前記オーディオ再生装置を制御して、オーディオファイルの再生を一時停止させる又は停止させると共に、前記第二ステップに戻る第四ステップと、
を備えることを特徴とするオーディオ再生システムの自動制御方法。
【請求項１０】
前記第二ステップを実行する前に、前記オーディオ再生装置の中に挿入されたのがセンシングユニットを備えるイヤホンであるかどうかを判断する第五ステップと、従来のイヤホンに設けられた制御スイッチを介して前記オーディオ再生装置のオン／オフ又は一時停止を制御する第六ステップと、をさらに備え、
前記オーディオ再生装置の中に挿入されたのがセンシングユニットを備えるイヤホンである場合、前記第二ステップを実行し、また、前記オーディオ再生装置の中に挿入されたのがセンシングユニットを備えるイヤホンではない場合、前記第六ステップを実行する
ことを特徴とする請求項９に記載のオーディオ再生システムの自動制御方法。
【発明の詳細な説明】
【技術分野】
【０００１】
本発明は、オーディオ再生システム、当該オーディオ再生システムに採用するイヤホン並びに自動制御方法に関し、特にマルチメディア電子装置の再生機能を自動的に制御するオーディオ再生システム、前記オーディオ再生システムに採用するイヤホン並びに自動制御方法に関するものである。
【背景技術】
【０００２】
携帯電話機及びタブレットパソコン等のオーディオ再生機能を有する電子装置は、何れもイヤホンを介して音を出力する。中でも、ワイヤーヘッドフォンには、電子装置のオーディオ再生のオン／オフ及び音量等をコントロールするためのスイッチが設けられているので、ユーザは便利に操作ができる。しかし、従来のワイヤーヘッドフォンは、依然としてユーザが耳から外した後でも、電子装置は動作状態にある。この時、ユーザは、手動でヘッドフォンワイヤのスイッチを操作して、電子装置のオーディオ再生を停止させる必要があるため、非常に不便である。
【発明の概要】
【発明が解決しようとする課題】
【０００３】
以上の問題点に鑑みて、本発明は、操作に便利であるイヤホン、当該イヤホンを備えるオーディオ再生システム並びに前記オーディオ再生システムの自動制御方法を提供することを目的とする。
【課題を解決するための手段】
【０００４】
上記の課題を解決するために、本発明に係るオーディオ再生システムは、イヤホン及びオーディオ再生装置を備え、イヤホンは、第一耳栓、第二耳栓、第一プラグ、第二プラグ、第一センシングユニット及び第二センシングユニットを含み、オーディオ再生装置は、第一ジャック、第二ジャック及び制御ユニットを含み、イヤホンは、第一プラグを介して第一ジャック内に挿入接続され、第一センシングユニットは、第一耳栓に設けられ、第二センシングユニットは、第二耳栓に設けられ、第一センシングユニット及び第二センシングユニットは、何れも第二プラグに接続され、第二プラグは、第二ジャックの中に挿入され、制御ユニットは、第二ジャックを介して第一センシングユニット及び第二センシングユニットが出力したセンシング信号を検出して、イヤホンが使用状態にあるかどうかを判断し、且つイヤホンの使用状態に基づいてオーディオ再生装置の動作状態を制御する。
【０００５】
また、上記の課題を解決するために、本発明に係るイヤホンは、第一耳栓、第二耳栓、第一プラグ、第二プラグ、第一センシングユニット及び第二センシングユニットを備える。イヤホンは、第一プラグを介してオーディオ再生装置の第一ジャック内に挿入され、第一センシングユニットは、第一耳栓に設けられ、第二センシングユニットは、第二耳栓に設けられ、第一センシングユニット及び第二センシングユニットは、何れも第二プラグに接続され、第二プラグは、オーディオ再生装置の第二ジャック内に挿入され、これによって、オーディオ再生装置は、第二ジャックを介して第一センシングユニット及び第二センシングユニットが出力したセンシング信号の変化を検出し、且つイヤホンが使用状態にあるかどうかを判断する。
【０００６】
また、上記の課題を解決するために、本発明に係るオーディオ再生システムの自動制御方法は、オーディオ再生装置と、オーディオ再生装置内に挿入されて使用され、且つ第一センシングユニット及び第二センシングユニットを含むイヤホンと、を備えるオーディオ再生システムを提供する第一ステップと、第一センシングユニット及び第二センシングユニットが出力した信号の変化を検出することによって、イヤホンが使用状態にあるかどうかを判断する第二ステップと、イヤホンが使用状態にある場合、オーディオ再生装置を制御して、オーディオファイルを再生し始める又はオーディオファイルを再生し続けると共に、第二ステップに戻る第三ステップと、イヤホンが使用状態にない場合、オーディオ再生装置を制御して、オーディオファイルの再生を一時停止させる又は停止させると共に、第二ステップに戻る第四ステップと、を備える。
【発明の効果】
【０００７】
従来の技術と異なり、本発明のオーディオ再生システムを使用する場合、ユーザがイヤホンの耳栓を耳に付けるか又はイヤホンの耳栓を耳から外すと、第一センシングユニット及び第二センシングユニットは、対応するセンシング信号を生成し、オーディオ再生システムはこのセンシング信号に基づいてイヤホンが使用されているかどうかを判断して、オーディオ再生装置（電子装置）の動作状態を制御する。例えば、電子装置のオーディオ再生機能をオン／オフにするか又は一時停止させる。これにより、本発明のオーディオ再生システムは、ユーザに利便性をもたらす。
【図面の簡単な説明】
【０００８】
【図１】本発明の実施形態に係るオーディオ再生システムの立体斜視図である。
【図２】図１に示したオーディオ再生システムの機能モジュールを示す図である。
【図３】本発明の実施形態に係るオーディオ再生システムの自動制御方法のフローチャートである。
【発明を実施するための形態】
【０００９】
図１に示すように、本発明の実施形態に係るオーディオ再生システム１００は、イヤホン１０及びイヤホン１０と組み合わせて使用されるオーディオ再生装置２０を備える。
【００１０】
イヤホン１０は、第一耳栓１１、第二耳栓１２、接続ライン１３、第一センシングユニット１４、第二センシングユニット１５、第一プラグ１６及び第二プラグ１７を備える。第一耳栓１１及び第二耳栓１２は、それぞれ接続ライン１３を介して第一プラグ１６に電気的に接続される。第一プラグ１６がオーディオ再生装置２０の中に挿入されると、イヤホン１０とオーディオ再生装置２０とは電気的に接続されるようになる。第一センシングユニット１４は、第一耳栓１１の中に設けられ、第二センシングユニット１５は、第二耳栓１２の中に設けられている。第一センシングユニット１４及び第二センシングユニット１５は、それぞれ接続ライン１３を介して第二プラグ１７に電気的に接続されている。本実施形態において、第一センシングユニット１４及び第二センシングユニット１５は、それぞれ光センサーである。第一プラグ１６は、既存の３チャンネルイヤホンプラグ又は４チャンネルイヤホンプラグであるため、ここでの詳しい説明は省略する。第二プラグ１７は、第一センシング端子１７１及び第二センシング端子１７２を含む。第一センシング端子１７１と第二センシング端子１７２とは、絶縁材料によって分離されている。第二センシング端子１７２は、第一センシングユニット１４及び第二センシングユニット１５にそれぞれ接続される。
【００１１】
本発明のオーディオ再生装置２０は、携帯電話機及びタブレットパソコン等のオーディオ再生機能を有するマルチメディア装置である。図２を併せて参照すると、オーディオ再生装置２０は、第一ジャック２１、第二ジャック２３及び制御ユニット２５を備える。第一ジャック２１は、第一プラグ１６を収容する。第二ジャック２３は、第二プラグ１７を収容する。第二ジャック２３の中には、第一接続端子２３１及び第二接続端子２３２が設けられている。第一接続端子２３１は、イヤホン１０がオーディオ再生装置２０に挿入された時に、第二プラグ１７の第一センシング端子１７１に電気的に接続される。第二接続端子２３２は、イヤホン１０がオーディオ再生装置２０に挿入された時に、第二プラグ１７の第二センシング端子１７２に電気的に接続される。
【００１２】
制御ユニット２５は、オーディオ再生装置２０内の中央処理装置（ＣＰＵ）の中に統合される。制御ユニット２５は、第一テスト端子２５１及び第二テスト端子２５２を含む。第一テスト端子２５１は、第一接続端子２３１に電気的に接続されている。これにより、第一センシングユニット１４及び第二センシングユニット１５を備えるイヤホン１０がオーディオ再生装置２０の中に挿入されると、第一テスト端子２５１は第一接続端子２３１を介して、第二プラグ１７の第一センシング端子１７１に電気的に接続される。一方、一般のイヤホン（即ち、如何なるセンシングユニットも設けられていないイヤホン）がオーディオ再生装置２０の中に挿入されると、第一接続端子２３１は宙に浮いている状態となる。即ち、第一接続端子２３１は第一センシング端子１７１に接続されない状態になる。これにより、制御ユニット２５は、第一接続端子２３１と第一センシング端子１７１との接続状態に基づいて、オーディオ再生装置２０に挿入されるイヤホンのタイプを判断することができる。
【００１３】
第二テスト端子２５２は、第二接続端子２３２に電気的に接続されている。第一センシングユニット１４及び第二センシングユニット１５を備えるイヤホン１０がオーディオ再生装置２０の中に挿入されると、第二テスト端子２５２は第二接続端子２３２を介して第二プラグ１７の第二センシング端子１７２に電気的に接続される。第一耳栓１１及び第二耳栓１２の中の何れか１つ又は両者がそれぞれユーザの耳に接触すると、それに対応するセンシングユニット（例えば、第一センシングユニット１４又は第二センシングユニット１５）は、光線を受けることができないか又は受けた光線の量が予定値より少なく、また、この時、対応する第一センシング信号（例えば、低レベル信号）を出力する。一方、第一耳栓１１及び第二耳栓１２がユーザの耳に接触しない場合、対応するセンシングユニットはそれぞれ一定量の光線を受け、両者はそれぞれ第二センシング信号（例えば、高レベル信号）を出力する。これにより、制御ユニット２５は、第二テスト端子２５２及び第二接続端子２３２を介して第一センシングユニット１４及び第二センシングユニット１５が出力した信号の変化を検出することによって、イヤホン１０がユーザの耳から取り外された又はユーザの耳に付けられているかどうかを判断し（即ち、イヤホン１０が使用状態にあるかどうかを判断する）、且つイヤホン１０の使用状態に基づいてオーディオ再生装置２０の動作状態を制御する。
【００１４】
具体的には、第一耳栓１１及び第二耳栓１２の中の１つ又は両方がそれぞれユーザの耳に接触すると、第一センシングユニット１４及び第二センシングユニット１５の中の１つ又は両方が第一センシング信号を出力する。この時、第二テスト端子２５２は、第二接続端子２３２を介して前記第一センシング信号を受信して、イヤホン１０の少なくとも１つのイヤホン部がユーザにより耳に付けられて使用されていると判断する。よって、制御ユニット２５は、オーディオ再生装置２０を制御して、オーディオファイルを再生し始めるか又は停止されたオーディオファイルの再生を継続する。
【００１５】
一方、第一耳栓１１及び第二耳栓１２が何れもユーザの耳に接触しない場合、第一センシングユニット１４及び第二センシングユニット１５は第二センシング信号を出力する。第二テスト端子２５２は、第二接続端子２３２を介して前記第二センシング信号を受信して、イヤホン１０が取り外されて使用されていないと判断する。これにより、制御ユニット２５は、オーディオ再生装置２０を制御して、オーディオファイルの再生を一時停止させるか又は停止させる。
【００１６】
図３に示すように、本発明の実施形態に係るオーディオ再生システムの自動制御方法は、以下のステップを備える。
【００１７】
ステップＳ１において、オーディオ再生装置２０及びオーディオ再生装置２０内に挿入接続されるイヤホン１０を含むオーディオ再生システム１００を提供する。
【００１８】
ステップＳ２において、オーディオ再生装置２０は、第一接続端子２３１と第一センシング端子１７１との接続状態によって、挿入されたのが一般のイヤホンであるかどうかを判断する。具体的には、第一接続端子２３１が第一センシング端子１７１に接続されない場合、オーディオ再生装置２０は自身に挿入されたのは一般のイヤホンであると判断して、以下のステップＳ３を実行する。逆に、第一接続端子２３１が第一センシング端子１７１に接続された場合、オーディオ再生装置２０は自身に挿入されたのは本発明のようなセンシングユニットを備えるイヤホンであると判断して、以下のステップＳ４を実行する。
【００１９】
ステップＳ３において、制御ユニット２５は、従来の制御方式を採用して、オーディオ再生装置２０のオン／オフ又は一時停止をコントロールする。例えば、一般的なイヤホンの制御スイッチを介してオーディオ再生装置２０をコントロールする。
【００２０】
ステップＳ４において、第一接続端子２３１が第一センシング端子１７１に電気的に接続された場合、オーディオ再生装置２０内に挿入されたのはセンシングユニットを備えるイヤホン１０であることを示す。この時、制御ユニット２５は、第二テスト端子２５２及び第二接続端子２３２を介して、第一センシングユニット１４及び第二センシングユニット１５が出力した信号の変化を検出することによって、イヤホン１０が使用状態にあるかどうかを判断する。イヤホン１０が使用状態にある場合、以下のステップＳ５を実行する。イヤホン１０が使用状態にない場合、以下のステップＳ６を実行する。
【００２１】
ステップＳ５において、制御ユニット２５は、オーディオ再生装置２０を制御して、オーディオファイルを再生し始める又は一時停止されたオーディオファイルを再生し続けると共に、上記のステップＳ４に戻る。
【００２２】
ステップＳ６において、制御ユニット２５は、オーディオ再生装置２０を制御して、オーディオファイルの再生を一時停止させる又は停止させると共に、上記のステップＳ４に戻って、イヤホン１０の使用状態を検出し続ける。
【００２３】
上記の記載から分かるように、本発明のオーディオ再生システム１００を使用する場合、イヤホン１０がユーザの耳から外された又はユーザの耳に付けた場合、第一センシングユニット１４及び第二センシングユニット１５は、対応するセンシング信号を生成する。オーディオ再生装置２０は、前記センシング信号に基づいてイヤホン１０が使用されているかどうかを判断して、オーディオ再生装置２０のオーディオ再生状態を自動的に制御する。これにより、本発明のオーディオ再生システム１００は、ユーザに利便性をもたらす。
【符号の説明】
【００２４】
１００  オーディオ再生システム
１０  イヤホン
１１  第一耳栓
１２  第二耳栓
１３  接続ライン
１４  第一センシングユニット
１５  第二センシングユニット
１６  第一プラグ
１７  第二プラグ
１７１  第一センシング端子
１７２  第二センシング端子
２０  オーディオ再生装置
２１  第一ジャック
２３  第二ジャック
２３１  第一接続端子
２３２  第二接続端子
２５  制御ユニット
２５１  第一テスト端子
２５２  第二テスト端子
【図１】
2015042008.tif 000003
【図２】
2015042008.tif 000004
【図３】
2015042008.tif 000005